(57)【要約】      （修正有）【課題】ユーザーが工具を使用せずに組み立てを可能にする支持アセンブリの提供。【解決手段】軸部材と、２つのベース部材１３０Ａ，１３０Ｂと、２つのロック部材と、で本質的に構成され、前記軸部材は、軸と、前記軸の外面におよびそれを囲んで配置される複数の第１の歯と、前記軸の外面におよびそれを囲んで配置され、第１の歯と隣り合う、複数の第２の歯と、を備え、前記２つのベース部材は、それぞれのベース部材が、ベース部材の一端に形成される第１のループ構造であって、複数の第１または第２の歯と係合するように、第１のループ構造の内面におよびそれを囲んで配置される複数の第３の歯を有する、第１のループ構造と、第１のループ構造から延びる１つまたは２つの脚と、を備え、前記２つのロック部材は、前記２つのベース部材を前記軸にロックするようにそれぞれ構成される。【選択図】図１
2019000621.tif 000002
【特許請求の範囲】
【請求項１】
支持アセンブリであって、軸部材と、２つのベース部材と、２つのロック部材と、で本質的に構成され、
前記軸部材は、
軸と、
前記軸の外面におよびそれを囲んで配置される複数の第１の歯と、
前記軸の外面におよびそれを囲んで配置され、第１の歯と隣り合う、複数の第２の歯と、
を備え、
前記２つのベース部材は、それぞれのベース部材が、
ベース部材の一端に形成される第１のループ構造であって、複数の第１または第２の歯と係合するように、第１のループ構造の内面におよびそれを囲んで配置される複数の第３の歯を有する、第１のループ構造と、
第１のループ構造から延びる１つまたは２つの脚と、
を備え、
前記２つのロック部材は、前記２つのベース部材を前記軸にロックするようにそれぞれ構成される、
支持アセンブリ。
【請求項２】
請求項１に記載の支持アセンブリであって、２つの固定部材をさらに備え、それぞれの固定部材が、
複数の第４の歯を有する第２のループ構造であって、複数の第４の歯は、第２のループ構造の外面におよびそれを囲んで配置され、複数の第４の歯は、複数の第３の歯と係合するように構成される、
支持アセンブリ。
【請求項３】
請求項１に記載の支持アセンブリであって、前記２つのロック部材は、前記軸の対向する端部にそれぞれねじ込まれる、支持アセンブリ。
【請求項４】
請求項１に記載の支持アセンブリであって、前記２つのベース部材のいずれかの第１ループ構造に配置される目盛りを、さらに備える、支持アセンブリ。
【請求項５】
請求項１に記載の支持アセンブリであって、前記支持アセンブリは、再生ポリエチレンテレフタレートで作られている、支持アセンブリ。
【請求項６】
家具であって、
請求項２に記載の前記支持アセンブリの少なくとも１つと、
前記支持アセンブリの前記２つの固定部材と連結する家具本体と、
を備える家具。
【請求項７】
請求項６に記載の家具であって、前記家具本体は、キャビネットまたはテーブルトップである、家具。
【請求項８】
請求項７に記載の家具であって、前記家具本体は、前記キャビネットであり、前記家具は、前記キャビネットのベース部とそれぞれ連結する２つの支持アセンブリを備える、家具。
【請求項９】
請求項７に記載の家具であって、前記家具本体は、前記テーブルトップであり、前記支持アセンブリの前記２つのベース部材の一方は、１つの脚を有するが、前記支持アセンブリの他方のベース部材は、２つの脚を有する、家具。
【請求項１０】
椅子であって、
請求項２に記載の前記支持アセンブリと、
前記固定部材と連結する接続部を有するシート支持部材と、
前記シート支持部材と連結する椅子のシェルと、
で本質的に構成される椅子。
【請求項１１】
請求項１０に記載の椅子であって、前記支持アセンブリは、前記２つのベース部材のいずれかの第１ループ構造に配置される目盛りを、さらに備える、椅子。
【請求項１２】
請求項１０に記載の椅子であって、前記椅子のシェルは、再生ポリエチレンテレフタレートで作られている、椅子。
【請求項１３】
請求項１０に記載の椅子であって、前記椅子のシェルは、ナットおよびボルトによって前記シート支持部材と連結する、椅子。
【発明の詳細な説明】
【技術分野】
【０００１】
本開示は、支持アセンブリおよびそれを備えた家具に関する。より具体的には、開示される発明は、家具の簡単な組み立てを可能にする支持アセンブリに関する。
【背景技術】
【０００２】
家具の組み立ては、時間がかかり、たくさんの人手を要することが多く、一般に特定の工具の使用を伴う。さらに、一度取り付けられると、家具の構成を再配置または再調整するのは容易ではない。従って、家具の取り付け、再配置、および調整は、そのような作業に携わる人に大きな負担をかける。
【発明の概要】
【発明が解決しようとする課題】
【０００３】
上記に鑑み、実際のニーズに従って容易におよび効率的に再組み立てされ得る、支持構造および／または家具のニーズが当技術分野に存在する。
【課題を解決するための手段】
【０００４】
以下は、読者に基本的な理解を提供するために、開示の簡略化された要約を提示する。この要約は、開示の広範な概観ではなく、それは、本発明の主要な／重要な要素を特定しない、または本発明の範囲を詳細に説明しない。その唯一の目的は、後に提示されるより詳細な説明の前置きとして簡略化された形で本明細書に開示されるある概念を提示することである。
【０００５】
一態様では、本開示は、椅子、キャビネットなどの、家具の簡単な組み立てを可能にする支持アセンブリを対象とする。この支持アセンブリは、ユーザーが工具を使用せずに望ましい構成で家具を組み立てることができるように、使いやすいロック機構を用いる構造を含む。
【０００６】
支持アセンブリは、軸部材、２つのベース部材、および２つのロック機構で本質的に構成される。特に、軸部材は、軸、複数の第１の歯および複数の第２の歯を有し、複数の第１および第２の歯は、軸の外面におよびそれを囲んでそれぞれ配置され、互いに隣り合う。それぞれのベース部材は、ベース部材の一端に形成される第１のループ構造、第１のループ構造から延びる１つまたは２つの脚、および複数の第３の歯を含み、複数の第３の歯は、複数の第１または第２の歯と係合するように、第１のループ構造の内面におよびそれを囲んで配置される。２つのロック部材は、２つのベース部材を軸にロックするようにそれぞれ構成される。
【０００７】
本開示の一実施形態によると、支持アセンブリは、２つの固定部材をさらに備える。それぞれの固定部材は、複数の第４の歯を有する第２のループ構造を含み、複数の第４の歯は、第２のループ構造の外面におよびそれを囲んで配置され、複数の第４の歯は、ベース部材の複数の第３の歯と係合するように構成される。
【０００８】
本開示の別の実施形態によると、２つのロック部材は、軸の対向する端部にそれぞれねじ込まれる。
【０００９】
別の実施形態では、支持アセンブリは、支持部材の第１のループ構造のいずれかに配置される目盛りを、さらに備える。
【００１０】
別の態様では、本開示は、上記のいずれかの実施形態に従った支持アセンブリによって構成される家具を対象とする。家具は、この支持アセンブリの少なくとも１つ、および支持アセンブリの固定部材と連結する家具本体を備える。一例では、家具は、家具本体を保持する本開示の２つの支持アセンブリの使用によって組み立てられおよび構成され、それぞれの支持アセンブリは、そこから延びる２つの脚を備える。別の例では、家具は、家具本体を保持する本開示の１つの支持アセンブリの使用によって組み立てられおよび構成され、支持アセンブリは、そこから延びる３つの脚を備える。
【００１１】
別の態様では、本開示は、椅子を対象としている。椅子は、本開示の１つの支持アセンブリ、シート支持部材、および椅子のシェルで本質的に構成される。椅子のシェルは、シート支持部材に連結され、シート支持部材は、本開示の支持アセンブリの整合構造に連結する接続部を備える。好ましい実施形態によると、椅子のシェルは、ナットおよびボルトの使用によってシート支持部材に連結される。
【００１２】
本開示の選択的実施形態によると、本発明のいずれかの実施形態に記載の、支持アセンブリ、家具または椅子は、ポリエチレンテレフタレート（ＰＥＴ）、特に再生ＰＥＴで作られている。
【００１３】
本開示の多くの付随する特徴および利点は、添付図面に関連して考慮される以下の詳細な説明を参照して、より良く理解される。
【００１４】
この説明は、添付図面に照らして読まれる以下の詳細な説明からより良く理解される。
【図面の簡単な説明】
【００１５】
【図１】本発明の一実施形態に従った支持アセンブリ１００を示す概略図である。
【図２】図１の支持アセンブリ１００の立体分解図である。
【図３】本発明の一実施形態に従った椅子３０１の概略図である。
【図４】図３の椅子３０１の立体分解図である。
【図５】本発明の一実施形態に従った２つの支持アセンブリの使用によって組み立てられるおよび支持されるキャビネット５０１を示す概略図である。
【図６】本発明の別の実施形態に従った１つの支持アセンブリの使用によって組み立てられるおよび支持されるテーブル６０１を示す概略図である。
【発明を実施するための形態】
【００１６】
一般的慣行に従って、様々な記載される特徴／要素は、正確な縮尺率ではなく、その代わりに本発明に関係がある特定の特徴／要素を最も良く示すように描かれている。また、様々な図の同様の参照符号は、同様の要素／部分を指し示すのに使用される。
【００１７】
添付図面に関連して以下に提供される詳細な説明は、この例の説明として意図され、この例が構成または利用され得る唯一の形態を表すことを意図していない。説明は、例の機能および例を構成するおよび行うステップの順序を示す。しかしながら、同一または同等の機能および順序が、異なる例によって達成されてよい。
【００１８】
便宜のため、明細書、例および添付の請求項で採用される特定の用語が、ここに集められる。本明細書に別段の定義がない限り、本開示で採用される科学および専門用語は、一般に理解されて当業者が使用する意味を有する。文脈から別段要求されない限り、当然のことながら、単数の用語は、それの複数の形態を含み、複数の用語は、単数を含む。特に、本明細書でおよび請求項で使用される、単数形“ａ（１つの）”および“ａｎ（１つの）”は、文脈が別段明確に示さない限り、複数の参照を含む。また、本明細書でおよび請求項で使用される、用語「少なくとも１つ」および「１つ以上」は、同じ意味を有し、１つ、２つ、または３つ以上を含む。
【００１９】
発明の広範囲を記載する数値範囲およびパラメーターは近似値であるにもかかわらず、特定の例に記載の数値は、可能な限り正確に報告される。任意の数値は、しかしながら、各試験測定で見られる標準偏差に必然的に起因する一定の誤差を本質的に含む。また、本明細書で使用される、用語「約」は、与えられた値または範囲の１０％、５％、１％、または０．５％以内を一般に意味する。従って、反対に示されない限り、本開示および添付の請求項に記載の数値パラメーターは、必要に応じて変わることができる近似値である。少なくとも、それぞれの数値パラメーターは、報告される有効数字の数に照らして、および通常の丸め技術を適用することによって、少なくとも解釈されるものとする。
【００２０】
本開示の一態様は、支持アセンブリを対象とし、その支持アセンブリは、ユーザーが家具の構成を容易に調整することを可能にしながら、工具を不要にすることによって家具の組み立ての過程を簡単にするように構成される。
【００２１】
図１および図２の両方をこれから参照し、図１は、本開示の１つの好ましい実施形態に従った支持アセンブリ１００の概略的提示であり、図２は、その立体分解図である。
【００２２】
支持アセンブリ１００は、その構造において、軸部材１１０、２つのベース部材（１３０Ａ，１３０Ｂ）、および２つのロック部材（１４０Ａ，１４０Ｂ）を備える。軸部材１１０は、軸１１２、および複数の第１および第２の歯（１１４，１１６）を含み、複数の第１および第２の歯（１１４，１１６）は、軸１１２の外面におよびそれを囲んでそれぞれ配置され、互いに隣り合う。スペーサー１１８が、複数の第１および第２の歯（１１４，１１６）の間に配置されてよい。代わりに、第１および第２の歯（１１４，１１６）は、スペーサー１１８なしで互いのすぐ隣に配置されてよい。
【００２３】
ベース部材（１３０Ａ，１３０Ｂ）のそれぞれは、その構造において、ベース部材（１３０Ａ，１３０Ｂ）の一端に形成される第１のループ構造（１３１Ａまたは１３１Ｂ）と、それに組み立てられる家具を支持する第１のループ構造（１３２Ａまたは１３２Ｂ）から延びる少なくとも１つの脚（１３４Ａまたは１３４Ｂ）とを備える。図２に示される実施形態では、それぞれのベース部材（１３０Ａ，１３０Ｂ）は、第１のループ構造（１３１Ａまたは１３１Ｂ）から延びる１つの脚（１３４Ａ，１３４Ｂ）のみを有するとして描かれる。追加的におよび選択的に、それぞれのベース部材は、第１のループ構造から延びる２つの脚を有してよい。一般に、家具を組み立てるときに、同じ数の脚（すなわち、１つまたは２つ）をそれぞれ有する２つのベース部材が、プリセット支持アセンブリを形成するのに使用される。追加的にまたは代替的に、１つの脚を有するベース部材が、２つの脚を有する他のベース部材と組み立てられてよく、それによって３脚を備える支持アセンブリを形成する。加えて、それぞれのベース部材（１３０Ａ，１３０Ｂ）は、複数の第３の歯（１３２Ａ，１３２Ｂ）も有し、複数の第３の歯（１３２Ａ，１３２Ｂ）は、第１のループ構造（１３１Ａまたは１３１Ｂ）の内面におよびそれを囲んで配置され、軸１１２の外面上の複数の第１または第２の歯（１１４，１１６）と係合する。特筆に値するのは、本開示では、ベース部材は、軸の周りを枢動せず、その代わりに、それぞれのベース部材は、第３の歯と第１または第２の歯との間の係合などの、係合する歯によってある位置でロックされる。この特定のロック機構は、ベース部材（１３０Ａ，１３０Ｂ）の各脚（１３４Ａ，１３４Ｂ）が、所望のまたは所定の角度で位置することができるようにもし、それは、アセンブリが、それに組み立てられる家具に十分な支持を提供する限り、特定の角度に限定されない。任意で、支持アセンブリ１００は、目盛り１３６をさらに備えてよく、目盛り１３６は、第１のループ構造（１３１Ａまたは１３１Ｂ）の１つまたは両方に配置され、ユーザーが、ガイドとして目盛り１３６を使用して上記の角度を調整することができるようにする。
【００２４】
加えて、支持アセンブリ１００は、２つの固定部材（１５０Ａ，１５０Ｂ）をさらに含み、それぞれ、ベース部材と軸との間の係合を強化するという目的に適う。２つの固定部材（１５０Ａ，１５０Ｂ）は、それらの構造において実質的に鏡像を形成する。固定部材１５０Ａを例にとると、それは、第２のループ構造１５２Ａおよび複数の第４の歯１５４Ａを有し、複数の第４の歯１５４Ａは、第２のループ構造１５２Ａの外面におよびそれを囲んで配置される。複数の第４の歯１５４Ａは、ベース部材（１３０Ａ，１３０Ｂ）の複数の第３の歯（１３２Ａまたは１３２Ｂ）と係合するように構成され、ベース部材（１３０Ａ，１３０Ｂ）と軸１１２との間の係合をさらに強化するようになっている。加えて、それぞれの固定部材（１５０Ａまたは１５０Ｂ）は、その構造において、それに組み立てられる家具の整合構造に連結する、図２に描かれるような溝（１５６Ａ，１５６Ｂ）などの、連結部分をさらに含む。
【００２５】
追加的におよび選択的に、支持アセンブリ１００のロック部材（１４０Ａ，１４０Ｂ）は、ベース部材（１３０Ａ，１３０Ｂ）および固定部材（１５０Ａ，１５０Ｂ）を軸１１２に固定するように構成され、全ての部材がロックおよび固定されるようになっており、それによって、家具を組み立てるのに有用である、図１に描かれるような支持アセンブリ１００を形成する。
【００２６】
特筆に値するのは、上記の第１、第２、第３および第４の歯は、対になる歯が同じ数の歯をそれぞれ備える限り、同じまたは異なる数の歯をそれぞれ備えてよい。特に、第３の歯は、第１または第２の歯のものと同じ数の歯を有し、一方、第４の歯は、第３の歯のそれと整合する歯を有する。本開示の選択的実施形態によると、第１および第２の歯（１１４，１１６）は、少なくとも１２歯を有し、例えば１２、１３、１４、１５、１６、１７、１８、１９、２０、２１、２２、２３、２４、２５、２６、２７、２８、２９、３０、３１、３２、３３、３４、３５、３６、３７、３８、３９、および４０などである。一例では、第１および第２の歯（１１４，１１６）は、それぞれ２４歯を有する。別の例では、第１および第２の歯（１１４，１１６）は、それぞれ３６歯を有する。
【００２７】
さらに、それに組み立てられる家具の本体の重量を支持するために、および使用中に安定性を提供するために、この支持アセンブリは、それが曲げおよび破壊に耐えるように、十分な機械的強度がある材料で作られる。加えて、支持アセンブリを、それが、重過ぎにならないように、または一般ユーザーが家具を移動させにくくならないように、可能な限り軽量に保つことが望ましい。一実施形態では、支持アセンブリは、再生ポリエチレンテレフタレート（再生ＰＥＴ）などの、リサイクル材料で作られている。他の実施形態では、他の種類のリサイクル材料および／またはそれらの組み合わせも、支持アセンブリの所望の強度および重量に応じて、使用されてよい。
【００２８】
図３および４をこれから参照し、図３は、この支持アセンブリによって組み立てられるおよび支持される椅子３０１の概略的提示であり、図４は、図３の立体分解図である。
【００２９】
図３に描かれているように、椅子３０１は、シート支持部材３６０、椅子のシェル３８０、および支持アセンブリ３００で本質的に構成され、椅子のシェル３８０は、シート支持部材３６０に連結され、シート支持部材３６０は、順に支持アセンブリ３００によって支持される。
【００３０】
椅子３０１を組み立てるために、図４に描かれている支持アセンブリ３００の部材／部品は、図２に関連する段落に記載される同じ仕方に従って組み立てられる。その次に、椅子のシェル３８０は、ナットおよびボルト３９０などの、適切な手段によってシート支持部材３６０に連結される。最後に、アセンブリは、椅子のシェル３８０で構成され、シート支持部材３６０は、支持アセンブリ３００に連結され、それによって組み立てられた椅子３０１を作り出す。
【００３１】
図４をこれから参照する。支持アセンブリ３００は、この実施形態では、１つ脚を有する代わりに、それぞれのベース部材（３３０Ａ，３３０Ｂ）がそこから延びる２つ脚３３４を有するということを除いて、図１および２に描かれるような部品／部材を備える。支持アセンブリ３００を組み立てるために、最初に、ベース部材（３３０Ａ，３３０Ｂ）のそれぞれの第１ループ構造（３３１Ａ，３３１Ｂ）が、軸部材３１０の対向する端部を通ることができるようにし、その後、それぞれのベース部材（３３０Ａ，３３０Ｂ）の第３の歯（３３２Ａ，３３２Ｂ）を、軸部材３１０の第１または第２の歯（３１４，３１６）と係合させ、それによって、ベース部材（３３０Ａ，３３０Ｂ）が、軸部材３１０と強連結できるようにする。次に、固定部材（３５０Ａ，３５０Ｂ）のそれぞれの第２のループ構造（３５２Ａ，３５２Ｂ）が、軸部材３１０の対向する端部を通り、ベース部材の隣にあることができるようにし、固定部材（３５０Ａ，３５０Ｂ）の第４の歯（３５４Ａ，３５３Ｂ）を、ベース部材（３３０Ａ，３３０Ｂ）の第３の歯（３３２Ａ，３３２Ｂ）と係合させ、それによって、固定部材（３５０Ａ，３５０Ｂ）が、ベース部材（３３０Ａ，３３０Ｂ）および軸部材３１０と強連結できるようにする。最後に、２つのロック部材（３４０Ａ，３４０Ｂ）は、軸部材３１０の対向する端部にそれぞれねじ込まれ、それによって、支持アセンブリ３００の部品／部材が、所定の位置に強固に固定されることができるようにする。椅子のシェル３８０をシート支持部材３６０と連結するために、ナット３８８およびボルト３９０の少なくとも６つの対が、シート支持部材３６０を椅子のシェル３８０の各スロットに強固に固定するために、採用される。その後、アセンブリ（すなわち、椅子のシェル３８０およびシート支持部材３６０）は、組み立てられた支持アセンブリ３００に、シート支持部材３６０の整合構造または接続部３７０との、固定部材（３５０Ａ，３５０Ｂ）の連結部（３５６Ａ，３５６Ｂ）の係合によって、連結される。図４に示されるように、シート支持部材３６０の接続部３７０は、リブとして描かれ、リブは、固定部材（３５０Ａ，３５０Ｂ）の溝（３５６Ａ，３５６Ｂ）と取り外し可能に取り付けられる。注目すべきは、椅子３０１に座っているときのユーザーの体重を支持するように、支持アセンブリ３００の固定部材３５０と接触する接続部３７０の十分な領域があるはずであるということである。
【００３２】
さらに、固定部材（３５０Ａおよび３５０Ｂ）の溝（３５６Ａおよび３５６Ｂ）および接続部３７０の構造は、本願請求項に係る発明の範囲から逸脱せずに、当業者によって変更されてよい。例えば、固定部材の頂部は、複数のブロックを備えてよく、接続部３７０は、そのブロックに対応する複数の凹部を備えてよい。
【００３３】
加えて、シート支持部材３６０、同様に椅子のシェル３８０および支持アセンブリ３００は、最大強度および可撓性を提供するように設計され、その一方で、同時に見て美しい外観を呈する。一実施形態では、シート支持部材３６０、椅子のシェル３８０および／または支持アセンブリ３００は、再生ＰＥＴなどの、リサイクル材料で作られる。
【００３４】
上記のいずれかの実施形態に従ったこの支持アセンブリは、様々な種類の家具を組み立てるのに使用されてよく、その様々な種類の家具は、椅子、キャビネット、テーブルなどを含むがこれらに限定されない。この支持アセンブリによって組み立てられるおよび支持される家具の例が、図５および６で提供される。
【００３５】
図５は、本開示の２つの支持アセンブリ５００によって支持されるおよび組み立てられるキャビネット５０１を示す概略的提示である。この実施形態では、キャビネット５０１の本体は、２つの支持アセンブリ５００によって支持され、２つの支持アセンブリ５００は、キャビネット本体５５０の重量が均等にかかるように、２つの脚をそれぞれ備える。
【００３６】
図６は、本開示の１つの支持アセンブリ６００によって支持されるおよび組み立てられるテーブル６０１を示す別の概略図である。この実施形態では、テーブル６５０の本体は、２つのベース部材を備える１つの支持アセンブリ６００によって支持され、２つのベース部材は、そこから延びる１つおよび２つの脚をそれぞれ有する。
【００３７】
実施形態の上記の説明は、ほんの一例として与えられていること、および様々な変更が当業者によってなされてよいことが、理解される。上記の明細書、例およびデータは、構造の完全な説明、および発明の例示的実施形態の使用を提供する。発明の様々な実施形態が、ある程度の特殊性を有して、または１つ以上の個々の実施形態を参照して、上記で説明されたが、当業者は、本発明の趣旨または範囲から逸脱せずに、開示された実施形態に多くの変更を加えることができる。
【図１】
2019000621.tif 000003
【図２】
2019000621.tif 000004
【図３】
2019000621.tif 000005
【図４】
2019000621.tif 000006
【図５】
2019000621.tif 000007
【図６】
2019000621.tif 000008
【外国語明細書】
2019000621000001.pdf